(57)【要約】 【課題】  簡単に且つ精密に組立ができる電磁リレーを提供する。【解決手段】  電磁リレーにベース１０、ベースに挿入されたコイル４３、アマチュア５０、接点配列３０、３１が備えられる。ヨーク４４がコイルを貫通し、接点配列はアマチュアにて動作される。アマチュア５０は、別途に作成された軸支持部６０に一体に形成された軸６２の回りで回動自在に支持され、軸支持部６０はコイル４３を架橋する形で包囲し、ベース１０の側ウェブ６４でベース１０に係合する。組立時は、これら全ての機能部品がベース１０へ一つずつベースの上方から取り付けられ、全ての装置を最終的にひっくり返して、下面側から接着剤を充填する。このため、組立が簡単できれいに行える。【選択図】  図３  
2004281375.tif 000002
【特許請求の範囲】
【請求項１】
以下の構成を備えた電磁リレー
ベース１０、
コイル４３、このコイルはベースに挿入されてヨーク４４が貫通する、
アマチュア５０、このアマチュアは支持要素６２の周りで回転可能となり、コイル４３から突出するヨーク４４の脚部４６と相互作用を果たす磁極面を備える、
アマチュア５０によって作動する接点配列３０、３１、
特徴部分は、
ベース１０に直接結合される別体の軸支持部６０に上記の支持要素６２が一体に形成された。 
【請求項２】
軸支持部６０は、ベース１０に設けた開口１７、１８に係合するウェブ６４を有することを特徴とする請求項１に記載の電磁リレー。 
【請求項３】
アマチュア５０はベース１０から離れたコイル４３側に配置され、軸支持部６０はコイル４３を覆うブリッジ形状となり、上記ウェブはブリッジ形の脚片に形成されたことを特徴とする請求項２に記載の電磁リレー。 
【請求項４】
軸部となる支持要素の軸と交差し且つアマチュアの長さに沿った方向において、軸支持部６０がヨーク４４に対して固定されることで、軸部６２がアマチュア軸支穴５４の所定点に対して支持されることを特徴とする請求項３に記載の電磁リレー。 
【請求項５】
リレーの組立て中に上記の方向において軸支持部６０へベース１０に対して弾性的なプリストレスが与えられたことを特徴とする請求項１に記載の電磁リレー。 
【請求項６】
軸支持部６０とベース１０との間に配したばね６５によりプリストレスが発生することを特徴とする請求項５に記載の電磁リレー。 
【請求項７】
上記ばね６５は上記軸支持部６０のウェブ６４から切り起こされたことを特徴とする請求項６に記載の電磁リレー。 
【請求項８】
上記ベース１０に開口を１７、１８が貫通し、軸支持部６０のウェブ６４が上記アマチュア５０から遠いベース１０の下面側からアクセス可能となったことを特徴とする請求項２〜７の何れかに記載の電磁リレー。 
【請求項９】
上記の軸支持部の両側にそれぞれ複数のウェブ６４が設けられたことを特徴とする請求項８に記載の電磁リレー。 
【請求項１０】
個々のウェブ６４のために形成された開口１７、１８が、ベース１０の下面に近い部分で結合されて一つの共通スロット２１、２２を形成したことを特徴とする請求項９に記載の電磁リレー。 
【請求項１１】
上記ウェブ６４の端部がベース１０の下面から後退し、上記スロット２１、２２は底部に向けて広くなったことを特徴とする請求項１０に記載の電磁リレー。 
【請求項１２】
上記ベース１０内に形成した凹所１５に挿入されたコイルベース４１にコイル４３が配置され、凹所１５がベース１０を貫通する穴２３に結合されたことを特徴とする先行する何れかの請求項に記載の電磁リレー。
【発明の詳細な説明】
【技術分野】
【０００１】
本発明は、電磁リレーに関するものである。
【背景技術】
【０００２】
請求項１の前提部分に記載の特徴を備えた電磁リレーは、独国特許発明第３４２５８８９号明細書や欧州特許出願公開第０４８７９４７号明細書に開示されている。
いずれの場合も、リレーコイルの上部に配置され中央軸の周りで回動可能となった略Ｈ形のアマチュアによってリレー接点が動作される。
【０００３】
組立時は、最初に固定接点及び接点ばねの結合部位がリレーのベースへ上方から圧入される。次いで、組立体を裏返し、ベースの反対面（リレーの通常位置の下面）に開口した凹所内に、コイルを装着し略Ｕ字形のヨークを備えたボビンを挿入して、ヨークの脚片がベースの開口を通して上方に突出させ、コイルカバーを取り付けている。
【０００４】
再び組立体をひっくり返した後、コイルを覆うベースの一部へ一体に形成した軸の周りに、アマチュアの中央軸支穴を収める。接着剤をリレーの下面に適用するために、再度、リレーを裏返す。また、リレーをひっくり返し、１つまたは２つの取り付けブラケットを用いてアマチュアをヨーク脚片に対して固定することで、ヨークの磁極面がＨ形のアマチュアの直径方向に対向する脚片に押圧される。これと同時に、ボビン及び磁気システム全体がベースに設けたストッパに押圧される。この磁気システムは、作動されるばねに対する許容誤差の点において好適な位置に収められる。接着剤の硬化後は、取り付けブラケットを取り除く。
【０００５】
このような公知のリレー構造では、ヨークやアマチュアを含む全ての機能部品を取り付けるための共通した基準システムを構成するため、部品同士を互いに整列させた場合は、製造上の許容誤差が拡大することはない。
【０００６】
しかしながら、上述したように、組立体が合計４度もひっくり返えされるため、取り付けブラケットを使用してアマチュアを仮固定することが必要であり、このことがリレーの組立を複雑なものとしている。
【０００７】
独国特許出願公開第２４５４９６７号明細書は、更に他の電磁リレーを開示しており、Ｈ字形のアマチュアが別途の軸支プレートへ一体に形成した軸部の周りで回動できるように装着されている。
【０００８】
このリレーを組立てる場合は、固定接点や接点ばねの結合部材が埋設される接点支持片をボビンの横凹所に挿入し、コイル及びヨークが装着されたボビンをベースへ挿入し、接着剤によりベースへ固定している。
【０００９】
次いで、アマチュア支持板を配置して、Ｕ字形のヨークから上方への突出脚をこのアマチュア支持板の両端面に設けた凹所に係合させる。その後アマチュア支持板をボビンに対して固定するために接着剤を使用すると、支持板の軸部へアマチュアが取り付けられる。
【００１０】
支持板の凹所とヨーク脚片との間の遊びや軸部とアマチュア穴との間の遊びにより、アマチュアは全体として浮いた状態で取り付けられ、アマチュアとヨークとの間に作用する永久磁石の力によって位置決めがなされる。最終的に固定するためには、接着剤を硬化させる。
【特許文献１】独国特許発明第３４２５８８９号明細書
【特許文献２】欧州特許出願公開第０４８７９４７号明細書
【特許文献３】独国特許出願公開第２４５４９６７号明細書
【発明の開示】
【発明が解決しようとする課題】
【００１１】
このようなリレーでは、全ての組み付け工程が上方から行われ、組み立て工程自体を簡略化することができるが、接着剤を２度にわたって使用することになり、組立部品が不用意に汚れて、結果的には、不良品としてはねられることになる。
【００１２】
また、接点結合部材が埋設された接点支持片を使用する場合は、実際上、全ての結合部材が一つの平面内に収まっていることが必要である。もっと複雑な構成の接点配列となって、リレーの完成時に接点を適切な面内に配列するために、曲がった結合部材が必要となるような場合は、個々の接点を別々に用意し、別々の部品としてベースに組み付けることが必要となるため、上述した製造方法を適用することができない。
【課題を解決するための手段】
【００１３】
本発明は、従来のリレーにおいて生じる欠点の少なくとも一部を無くすことを目的とするものであり、より精密で且つより構成が簡単に組み立てることができる電磁リレーを提供することである。この目的は請求項１に記載の発明にて達成される。
【００１４】
本発明のリレーでは、アマチュアの支持要素が、これとは別体に製造されて組立時はベースへ直接結合される軸支持部に形成される。この構成を有するため、リレーの機能部品の全てが一つの部品、すなわち、ベースへ直接に結合できて共通の基準システムとしてのベースに対して、全ての機能部品を整列させることができ、その結果、許容誤差が拡大することがない。
【００１５】
同時に、以下の記載でより詳細に説明するように、全ての部品がベースへ上方から挿入することができる。リレーはその後一度裏返されて、下から接着剤を適用する。ここでは、一回の接着剤の適用により、それ以前に挿入された全ての機能部品は、取り付けブラケットのような付属品を使用すること無く、固定できる。
【００１６】
軸支持部に関する請求項２や請求項３の構成は、組み立て工程や相互整列に関して好適なものである。
【００１７】
請求項４〜請求項７での特徴によれば、アマチュアが殆ど遊び無く、或いは所定の遊びでもって取り付けられる。
【００１８】
請求項８〜請求項１１に記載の本発明での改良は、最後に接着剤を適用する間、ベースに対してアマチュア支持部を最終的に固定するために好適である。
【００１９】
請求項１２による本発明での改良点では、最後に接着剤を適用する時に、コイルをベースに対して同時に固定する利点を有する。
【発明の効果】
【００２０】
全てのリレー部品がベース１０へコイルベースの上からに装着され、組立が完了してから組立体が裏返された時のみに、最終段階として接着剤を使用するものである。冒頭にて引用した先行技術と対照的に、組立体を何度も裏返すことや、組み付けと接着剤の適用とを交互に繰り返す必要が無い。従って本発明のリレーは、比較的短時間で、清潔な状態で精密に組立てることができる。 
【発明を実施するための最良の形態】
【００２１】
本発明の一実施形態について、添付する図面に基づいて詳細に説明する。
【００２２】
図１はリレーのベース１０を示し、固定接点３０及び接点ばね３１の結合部位３２、３３を収容する各種の穴１１、１２がベースに形成されている。各接点ばね３１はベース１０上に突出する壁要素１３によって形成されて互いに区画された各室に収めた固定接点３０との間で相互作用を果たす。
【００２３】
図２は固定接点３０及び接点ばね３１を取り付けた状態で約９０°回転させた状態のベース１０を示す。図示されるように、接点配列３０、３１によって占有されるスペースはベース１０上に突出する壁１４によってベース１０の残りの領域から分離されている。この領域はコイル組立体４０及びアマチュア５０を収容するために使用される。
【００２４】
コイル組立体４０は、コイルベース４１、ボビン４２、Ｕ字状のヨーク４４とで構成され、ボビン４２はコイルベースに結合されコイル４３を備える。ヨークの中央部４５はコイルを貫通し、両端の脚４６が図２において上方へ突出する。
【００２５】
アマチュア５０を取り付けるために、全体がブリッジ形状の軸支持部６０が設けられる。軸支持部の中央部６１はベース１０と平行となり上方に突出する軸６２を支持し、側片がそれぞれ３つのウェブ６４へスロット６３によって分割される。ばね要素６５は、図２の正面から見て、軸支持部６０の側片の中央ウェブ６４おの材料から切り起こされる。
【００２６】
アマチュア５０は、全体として略Ｈ形であり、２本のアマチュアバー５２を共通の合成樹脂部５１で包囲した構成であり、図２において、アマチュアの端部において合成樹脂部の開口を通して示されている。永久磁石５３は、アマチュアバー５２の間に設けられ、合成樹脂部５１の開口を通してのみ示されている。軸穴５４は、合成樹脂部５１の中央に形成される。
【００２７】
図３で示されるように、コイル組立体４０は図２で示すベース１０の凹所１５に挿入されるものであり、図２と図３でのみ示されるコイル端子４７がベース１０に設けた穴１６を貫通している。
【００２８】
図４の部分断面図に示されるように、軸支持部６０はコイル組立体４０を覆うように、装着され、ウェブ６４が、図２に示されるベース１０に形成した穴１７、１８に挿通される。この状態で、中央ウェブ６４から離されたばね要素６５がベース１０上方に突出する壁部１９に接触し、軸支持部６０が接点室との間を仕切る壁１４に向けて付勢される。
【００２９】
図５において、アマチュア５０の軸穴５４は、軸支持部６０の軸に嵌められて、ヨーク４４における上方へ突出する脚４６がそれぞれ２本のアマチュアバー５２の端部に形成された磁極面の間に収められる。永久磁石５３によって発生する磁力及びアマチュアバー５２の端部に設けた磁極面によって、アマチュア５０は図５に示すようにコイル４３の軸に対して規定された位置をとる。
【００３０】
この位置において、ばね要素６５により発生する力に基づいて、アマチュア５０がヨーク４４の２つの磁極面に対して押しつけられるだけでなく、軸６２の一点に押しつけられることになり、ヨーク４４に対して規定の方法でアマチュア５０が位置決めされる。ばね要素６５のばね力の大きさは、アマチュア５０がいずれの一端においてもヨークから離れることが無いものとされる。
【００３１】
ベース１０に設けられた凹所やベースに取り付けられる付属品や、装着されるリレー部品に対する許容誤差は、アマチュア支持部を除いて、圧入ができるようなものとされる。
【００３２】
この状態において、アマチュア５０及び軸６２は、図６に示される位置を取り、この位置はリレーの最適な動作位置である。この位置は、ヨーク脚４６の磁極面に対してアマチュアバー５２の磁極面が押しつけられたことで決定されると共に、アマチュア５０の軸穴５４に設けた遊びの範囲内で軸６２が最適な位置をとることで決定される。
【００３３】
図示するような円筒形の軸６２を設けた場合、軸穴５４に対する遊びというのは、アマチュア５０の取り付け摩擦を少なくする目的のために設けられる。しかしながら、円筒形の軸６２の代わりに、他の手段、例えば、ナイフエッジによる軸支を用いてアマチュアを装着することも可能である。
【００３４】
このようにして組み立てられた組立物は、図７に示される位置に裏返され、全ての個別に組み付けられた部品が接着により固定され、ベース１０を通して突出する接点端子３２、３３及びコイル端子４７がベースに固定される。この組立物は、ハウジングキャップ２０内に挿入され、図８に示すように、ハウジングキャップはベース１０へ全周に亘って接着結合される。
【００３５】
図７及び図８に示すように、それぞれ３つの穴１７、１８が並ぶ２つの列は、連続したスロット２１、２２を形成して、それぞれのスロットは外側に向けて広くなっている。接着剤はこのスロット２１、２２内に充填されてアマチュア軸支持部６０のウェブ６４をベース１０へ固定する。ウェブ６４はベースを貫通していないため、図７や図８では図に示されない。
【００３６】
接着剤は、また、最終的に、ベース１０に設けた他の２つの穴２３へ充填されてコイル組立体４０のコイルベース４１をベース１０へ永久的に固定する。このことは、ヨーク４４を含むリレーの機能部品を互いに固定する上で重要である。このようにして行われる最終的な固定により、コイル組立体４０を構成するヨーク４４及びアマチュア軸支持部６０の両方をベース１０に対して固定され、リレーの完成時にはばね部材６５の動作は無効となる。 
【図面の簡単な説明】
【００３７】
【図１】本発明の電磁リレーの組み立て工程での一状態を示す斜視図。
【図２】本発明の電磁リレーの組み立て工程での一状態を示す斜視図。
【図３】本発明の電磁リレーの組み立て工程での一状態を示す斜視図。
【図４】本発明の電磁リレーの組み立て工程での一状態を示す斜視図。
【図５】本発明の電磁リレーの組み立て工程での一状態を示す斜視図。
【図６】図５に示す電磁リレーの平面図。
【図７】本発明の電磁リレーの組み立て工程での一状態を示す斜視図。
【図８】本発明の電磁リレーの組み立て工程での一状態を示す斜視図。
【符号の説明】
【００３８】
１０  ベース
１１、１２  穴
１３  壁要素
１４  壁
１５  押書
１６、１７、１８  穴
１９  壁部
２０  ハウジングキャップ
２１、２２  スロット
２３  穴
３０  固定接点
３１  接点ばね
３２、３３  接点端子
４０  コイル組立体
４１  コイルベース
４２ ボビン
４３  コイル
４４  ヨーク
４５  中央ヨーク部
４６  ヨーク脚
４７  コイル端子
５０  アマチュア
５１  プラスチック部
５２  アマチュアバー
５３  永久磁石
５４  軸穴
６０  軸支持部
６１  中央部
６２  軸
６３  スロット
６４  ウェブ
６５  ばね要素
【図１】
2004281375.tif 000003
【図２】
2004281375.tif 000004
【図３】
2004281375.tif 000005
【図４】
2004281375.tif 000006
【図５】
2004281375.tif 000007
【図６】
2004281375.tif 000008
【図７】
2004281375.tif 000009
【図８】
2004281375.tif 000010
【外国語明細書】
2004281375000001.pdf
2004281375000002.pdf
2004281375000003.pdf
2004281375000004.pdf